(57)【特許請求の範囲】
【請求項１】
外周面に釣り糸ガイドを取り付けた竿体を収縮した状態でそれらの釣り糸ガイドと前記収縮した竿体とを被覆するトップカバー本体内に、収納位置と引き出し位置とに亘ってスライド移動するスライド体を設け、前記釣り糸ガイドの糸通し孔を挿通する挿通部と前記挿通部の先端部に釣り糸を係止する係止孔部を形成した糸通し案内部材を設け、前記糸通し案内部材の前記挿通部より基端側に設けた基端部を前記スライド体に揺動自在に支持し、前記スライド体を前記収納位置に位置させた状態で、前記糸通し案内部材の揺動を規制する機構を設けてあるトップカバー。
【請求項２】
前記揺動を規制する機構が、前記糸通し案内部材と一体揺動する受止部材と前記トップカバー本体内周面に形成され前記受止部材に当接して前記糸通し案内部材の揺動を規制する規制部とで構成されている請求項１記載のトップカバー。
【請求項３】
前記スライド体を前記糸通し案内部材の揺動を阻止する部位より引き出した位置において、前記糸通し案内部材と前記受止部材との一体揺動を許容すべく、前記トップカバー本体内周面を前記受止部材より離間させる状態に設けてある請求項２記載のトップカバー。
【請求項４】
請求項１〜３の内のいづれか一つに記載のトップカバーを装備した釣り竿。
【発明の詳細な説明】
【技術分野】
【０００１】
本発明は、外周面に釣り糸ガイドを取り付けた振出式の竿体を収縮した状態でそれらの釣り糸ガイドと前記収縮した竿体とを被覆するトップカバー本体に、前記釣り糸ガイドの糸通し孔を貫通し釣り糸を係止する係止孔部を形成した糸通し案内部材を設けてあるトップカバーに関する。
【背景技術】
【０００２】
糸通し案内部材は、トップカバー本体の内部空間における奥側に設けた取付プラグ部材に自身の基端部を挿通固定して設けてあった（特許文献１）。
【特許文献１】特開２００６−１３６２２７号公報（段落〔００２０〕，図１）
【発明の開示】
【発明が解決しようとする課題】
【０００３】
上記したように、糸通し案内部材をトップカバー本体内に取付固定したものにおいては、糸通し案内部材を前記収縮した竿体の釣り糸ガイド孔に挿通する際には、糸通し案内部材を釣り糸ガイド孔に通しながら同時にトップカバー本体を竿体に被せる操作を必要とする。
そうすると、釣り人は同時に二つのことを行わなければならず、迅速な操作が難しいものになっていた。特に、釣り糸ガイドの一部は糸ガイド形式に形成されているので、釣り竿の周方向にも自由に回転する状態にあるので、糸通し案内部材を挿通する作業が困難なものとなっていた。
【０００４】
一方、釣り場に到着した場合には、糸通し案内部材の係止孔部にリールから繰出された釣り糸を係止し、トップカバーを装着した穂先側を上にした上下向き姿勢にした竿体の先端側に向けてトップカバーを上に引き出して行くと、各釣り糸ガイドの糸通し孔内に釣り糸を誘導することができるのである。しかし、この場合に急いでトップカバーを引き上げると、全ての釣り糸ガイドに釣り糸を誘導し終わらない途中の段階で糸通し孔より釣り糸が外れる等の不測の自体が起こることがあり、釣り糸の挿通作業に難儀することがあった。
【０００５】
本発明の目的は、糸通し案内部材を釣り糸ガイドの糸挿通孔内に挿通し易く、かつ、釣り糸を釣り糸ガイドの糸挿通孔内に誘導する作業を円滑に行いながら、トップカバーを収縮した振出竿に装着した状態で穂先竿等を傷めることのないトップカバー及びそのトップカバーを装備した釣り竿を提供する点にある。
【課題を解決するための手段】
【０００６】
〔構成〕
請求項１に係る発明の特徴構成は、外周面に釣り糸ガイドを取り付けた竿体を収縮した状態でそれらの釣り糸ガイドと前記収縮した竿体とを被覆するトップカバー本体内に、収納位置と引き出し位置とに亘ってスライド移動するスライド体を設け、前記釣り糸ガイドの糸通し孔を挿通する挿通部と前記挿通部の先端部に釣り糸を係止する係止孔部を形成した糸通し案内部材を設け、前記糸通し案内部材の前記挿通部より基端側に設けた基端部を前記スライド体に揺動自在に支持し、前記スライド体を前記収納位置に位置させた状態で、前記糸通し案内部材の揺動を規制する機構を設けてある点にあり、その作用効果は次の通りである。
【０００７】
〔作用〕
トップカバー本体内の収納空間にスライド体を設け、このスライド体に糸通し案内部材を取り付けた。
これによって、まず、糸通し案内部材を釣り糸ガイドの糸通し孔内に挿通する際に、スライド体をトップカバー本体の内部空間から引き出した位置に位置させることによって、糸通し案内部材だけを糸通し孔内に挿通する作業に専念することが可能である。糸通し案内部材を釣り糸ガイドに挿通した後にトップカバーを収縮した竿体に被せる操作を行うことが可能になる。
一方、釣り場に到着した後に釣り糸を糸通し案内部材に係止して引き出していく際に、係止孔部に係止した糸の結び目等が釣り糸ガイドに引っ掛かって引き出し抵抗が大きくなったとしてもスライド体がスライドすることによって、直ちに糸の結び目が解けることはなく、そのことに釣り人が気がついて、修正が可能である。
【０００８】
ただし、スライド体をトップカバー本体内に収納する収納位置に位置させた状態で、かつ、収縮した竿体の釣り糸ガイドに糸通し案内部材を挿通した状態で、釣り場へ移動するために、釣り竿を携行する場合がある。その場合に、糸通し案内部材が自由に揺動し得る状態にある場合には、穂先部分に衝撃等が掛かかると、糸通し案内部材が変形して釣り糸ガイドを介して穂先竿等に変形力が作用する。そうすると、細径の穂先竿等が損傷する虞がある。
そこで、スライド体を前記トップカバー本体の前記収納空間内に収納した収納位置では、前記糸通し案内部材の揺動を規制する機構が機能して、糸通し案内部材は揺動し難い。
そうすると、穂先竿等への変形力の伝播も少なく、損傷等が未然に回避できる。
【０００９】
〔効果〕
スライド体の導入によって、糸通し案内部材を釣り糸ガイドへの挿通作業を容易に行えるとともに釣り糸を釣り糸ガイドの糸通し孔内に挿通する作業を容易迅速に行える。
しかも、スライド体を収納した状態で糸通し案内部材の揺動を阻止する構成を採っているので、穂先竿等の損傷を招来するといったことを未然に防止できる。
【００１０】
〔構成〕
請求項２に係る発明の特徴構成は、請求項１に係る発明において、前記揺動を規制する機構が、前記糸通し案内部材と一体揺動する受止部材と前記トップカバー本体内周面に形成され前記受止部材に当接して前記糸通し案内部材の揺動を規制する規制部とで構成されている点にあり、その作用効果は次の通りである。
【００１１】
〔作用効果〕
トップカバー本体内周面を、揺動を規制する機構に利用することによって、構造の兼用化を図ることができ、比較的簡単な構成を採るトップカバーの複雑化を回避できる。
【００１２】
〔構成〕
請求項３に係る発明の特徴構成は、請求項１又は２に係る発明において、前記スライド体を前記糸通し案内部材の揺動を規制する部位より引き出した位置において、前記糸通し案内部材と前記受止部材との一体揺動を許容すべく、前記トップカバー本体内周面を前記受止部材より離間させる状態に設けてある点にあり、その作用効果は次の通りである。
【００１３】
〔作用効果〕
スライド体を引き出した状態では、糸通し案内部材は揺動可能であるので、糸通し案内部材を収縮状態にある竿体の釣り糸ガイドの糸挿通孔内に挿通する際に、糸通し案内部材を自由な姿勢に変形することができ、釣り糸ガイドが不揃いに並んでいても容易に挿通作業を行い得る。
【００１４】
〔構成〕
請求項４係る発明の特徴構成は、請求項１〜３の内のいずれか一つに記載のトップカバーを備えた釣り竿である点にあり、その作用効果は次の通りである。
【００１５】
〔作用効果〕
スライド体を有効に利用したトップカバーを構築できたので、穂先竿の保護にも意を配した釣り竿を提供できるに至った。
【発明を実施するための最良の形態】
【００１６】
図１に示すように、竿体としての穂先竿１、二番竿２、三番竿３、及び、四番竿４、五番竿５、元竿６によって、振出式の釣り竿Ａを構成してある。穂先竿１には、トップカバー１Ａと二つの中間ガイド１Ｂ、１Ｂを設けてある。二番竿２〜元竿６に、夫々、一番竿１と同様に釣り糸ガイド２Ａ、３Ａ、４Ａ、５Ａ、６Ａが各竿体の外周面に取り付けてある。
【００１７】
トップカバー７について説明する。図１に示すように、穂先竿１、二番竿２、三番竿３、及び、四番竿４、五番竿５、元竿６を夫々収縮して、すべての竿を元竿６内に収納する。この収納する状態で各竿体の外周面に装着された糸ガイド１Ａ等は、元竿６の竿先側に整列されている。このような状態に収縮された穂先竿１等の竿先部分と糸ガイド１Ａ等をトップカバー７で被覆し、糸ガイドや竿先部分の保護を図っている。
【００１８】
図１に示すように、トップカバー７は、各竿体１等の竿先部分と糸ガイド１Ａ等を覆う筒状のトップカバー本体７Ａと、各竿体１等の竿先部分をトップカバー本体７Ａ内に導入する挿通孔７Ｂと、その挿通孔７Ｂを形成した部分から竿尻側に延出された装着部分７Ｃとを設けて構成してある。装着部分７Ｃには締め付け固定用のバンド７Ｄが設けてあり、その装着部分７Ｃを元竿６にあてがった状態でバンド７Ｄを巻回して、トップカバー７を元竿６に取付固定する。
トップカバー７のトップカバー本体７Ａと装着部分７Ｃの材質としては樹脂を利用するが、金属を利用してもよい。バンド７Ｄには、ゴムや皮革などの伸縮性を有する材料を採用する。
【００１９】
次に、トップカバー７のトップカバー本体７Ａ内に収納されるスライド体９について説明する。図３及び図４に示すように、スライド体９は、筒状の断面形状を呈するものにおいて、天井部分に相当する部分を切除して、内部空間ｂを上方に開放した馬蹄形状の本体部９Ａを装備する。先端には壁面９Ｂが一体形成してあり、壁面９Ｂの内側面には左右一対のブラケット９ａが設けてある。
【００２０】
スライド体９の内部空間ｂに設けられる糸通し案内部材８について説明する。図４に示すように、糸通し案内部材８の基端部を図示していないが連結用のホーク部として形成し、このホーク部をピンによってスライド体９の壁面９Ｂの内側面に形成した左右一対のブラケット９ａに取付てある。このような取付構造によって、糸通し案内部材８は、ホーク部から後方に向けて片持ち状に延出した挿通部８Ａを、ピンを中心にして上下揺動自在に支持されている。前記挿通部８Ａの先端部には、釣り糸を係止する長孔状の係止孔部８ａを形成してある。
【００２１】
糸通し案内部材８における左右一対のブラケット９ａに支持された基端部に、受止部材１０が外嵌装着してある。受止部材１０は矩形状を呈しており、発泡ウレタン、ＮＢＲ等のゴムを材料として製作されている。受止部材１０は、スライド体９の底面部分９Ｃに当接して支持されている。
このような構成によって、糸通し案内部材８はスライド体９のブラケット９ａと底面部分９Ｃに支持されている受止部材１０とによって水平状態に支持される。
なお、受止部材１０は糸通し案内部材８に外嵌されて糸通し案内部材８と一体で上下揺動自在である。また、糸通し案内部材８は、長尺小径の棒状材であり、合成樹脂か軽量金属を材料として形成される。
【００２２】
トップカバー７のトップカバー本体７Ａとスライド体９との形状について説明する。図１及び図２に示すように、トップカバー本体７Ａは、側面視において、先側に小径の筒状体７ｅを配置するとともに、挿通孔７Ｂを形成する中間部分に掛けて、天井壁７ａが底壁７ｂから離間するように上方に盛り上がる部分を配置して、構成してある。
トップカバー本体７Ａの挿通孔７Ｂを形成している中間部分における断面形状は、図３に示すように、底壁７ｂから両側壁の底部７ｃに掛けては円弧状を呈するが、上方に膨出する天井壁７ａにむけて左右両側方に略直線状の傾斜側壁７ｄが立設されて、非円形状を呈しており、スライド体９と糸通し案内部材８とを収納する収納空間が形成されている。
【００２３】
前記したようなトップカバー本体７Ａの収納空間にスライド体９を収納すると、図３に示すように、馬蹄形を呈するスライド体９の本体部９Ａがトップカバー本体７Ａの底壁７から傾斜側壁７ｄの内面に密着する状態に収納され、周方向への回転及び上下方向への移動が規制された状態にある。一方、スライド体９は、トップカバー本体７Ａの底壁７ｂに支持された状態で内部空間の軸線方向（長手方向）に沿って前後にスライド移動自在に構成してある。
【００２４】
図１から図３に示すように、スライド体９の底面部分９Ｃの下向き面には、係合突起９ｂが突設してある。一方、トップカバー本体７Ａの底壁７ｂには、前記軸線方向に沿った細幅の係合長孔７ｆが設けてある。スライド体９をトップカバー本体７Ａ内に収納載置した状態で、スライド体９の係合突起９ｂがトップカバー本体７Ａの係合長孔７ｆ内に係合し、スライド体９が前記軸線方向に沿ってスライド移動可能に構成してある。
【００２５】
このような構成によって、スライド体９は、図１に示すように、壁面９Ｂがトップカバー本体７Ａの筒状体７ｅの形成部位まで入り込み、収納位置に切り換えられる。糸通し案内部材８は、収縮状態にある竿体の各釣り糸ガイド１Ａ、１Ｂ等に挿通されている。この状態が釣り場への移動する場合の状態である。図１の状態で、リールから繰出される釣り糸を糸通し案内部材８に取付け、トップカバー７を竿先側へ引き出すと、図２に示すように、糸通し案内部材８が釣り糸ガイド１Ａ、１Ｂから外れる位置まで引き出され、リールから繰出された釣り糸を各釣り糸ガイド１Ａ、１Ｂ内に引き込んでくる。
【００２６】
スライド体９内には糸通し案内部材８に外嵌装着された受止部材１０が収納してあり、この受止部材１０の上面が、トップカバー本体７Ａの筒状体７ｅにおける内面に弾性的に当接することによって、スライド体９の収納状態が保持される。
ここに、トップカバー本体７Ａの筒状体７ｅにおける内面７ｇを、受止部材１０に当接して糸通し案内部材８の揺動を規制する規制部と称する。また、受止部材１０と前記内面７ｇとを、糸通し案内部材８の揺動を規制する機構Ｂと称する。
【００２７】
図２で示すように、スライド体９を前記した引き出し位置に切り換えると、糸通し案内部材８を各釣り糸ガイド１Ａ、２Ａ等に挿通する作業や釣り糸を釣り糸ガイドに挿通作業する際に、トップカバー本体７Ａをそれらの釣り糸ガイド１Ａ等や穂先竿１等に被せる必要がなく、それらの挿通作業を迅速に行うことができる。
また、スライド体９を引き出し位置に設置すると、受止部材１０の上面とトップカバー本体７Ａの内面とが離間する状態にあるので、糸通し案内部材８が揺動自在に切り換わるので、糸通し案内部材８の釣り糸ガイド１Ａ、２Ａへの挿通作業をより容易に行えるようになる。
【００２８】
〔別実施形態〕
（１）  糸通し案内部材８の揺動を規制する機構Ｂとしては、次のようなものでもよい。
トップカバー本体７Ａの筒状体７ｅの内周面の一部を内向きに突出させて、糸通し案内部材８に当接させる構成を採ってもよい。そうすると、受止部材１０を必要としない。
（２）  糸通し案内部材８の揺動を規制する機構Ｂとしては、次のようなものでもよい。
糸通し案内部材８の基端部を直線状に形成するのではなく、クランク状に形成して筒状体７ｅの内周面に当接する状態に形成してもよい。そうすると、受止部材１０を必要としない。
【図面の簡単な説明】
【００２９】
【図１】スライド体をトップカバー本体内に収納した状態を示す縦断側面図
【図２】スライド体をトップカバー本体から引き出した状態を示す側面図
【図３】図２におけるＩＩＩ―ＩＩＩ線断面図
【図４】（ａ）スライド体の側面図、（ｂ）受止部材を取り去った状態でのスライド体の背面図、（ｃ）スライド体の平面図
【符号の説明】
【００３０】
１            穂先竿（竿体）
１Ａ          釣り糸ガイド
７            トップカバー
７Ａ          トップカバー本体
８            糸通し案内部材
８Ａ          挿通部
９            スライド体
１０          受止部材
Ｂ            糸通し案内部材の揺動を規制する機構
【図１】
0005240997.tif 000002
【図２】
0005240997.tif 000003
【図３】
0005240997.tif 000004
【図４】
0005240997.tif 000005